(57)【要約】【課題】高級感があり、模様の剥離、変色及び褪色の問題も生じない電球及びこれを用いた照明装置を提供する。【解決手段】透明ガラス球１１の表面にレジストパターンの模様（文字、図形もしくは絵等又はこれらの組み合わせ）がエッチングにより転写された電球１０と、電球１０を覆う半透明カバー３５とを備えている。ガラス球１１の表面と半透明カバー３５との距離の最小値が１〜８ｍｍであり、この最小距離付近のガラス球表面に、少なくとも模様１２の一部が形成されている。【選択図】図２
0003103714.tif 000002
【実用新案登録請求の範囲】
【請求項１】
透明ガラス球の表面にレジストパターンの模様がエッチングにより転写されていることを特徴とする電球。
【請求項２】
上記エッチングはサンドブラストによる磨り加工であることを特徴とする請求項１記載の電球。
【請求項３】
請求項１又は２記載の電球と、該電球を覆う半透明カバーとを有し、該電球のガラス球表面と該半透明カバーとの距離の最小値が１〜８ｍｍであり、該最小距離付近の該ガラス球表面に少なくとも上記模様の一部が形成されていることを特徴とする照明装置。
【考案の詳細な説明】
【技術分野】
【０００１】
本考案は、エッチング模様がガラス球に形成された電球及びこれを用いた照明装置に関する。
【背景技術】
【０００２】
下記特許文献１には、電球に模様を設けた照明装置が開示されている。
【０００３】
しかし、ガラス球表面に模様を印刷し、又は、模様を施した透明フィルムをガラス球表面に貼着していたので、高級感がなかった。また、ガラス球の熱膨張率と模様層の熱膨張率との差により、点灯消灯に伴うガラス球表面の温度変動で模様層に面内方向の応力が加わり、点灯消灯を繰り返すと模様層が電球表面から剥離するという問題があった。さらに、高温（例えば１００Ｖ３８Ｗで１１２°）になったガラス球により模様層の模様が変色したり褪色したりするという問題があった。
【０００４】
また、下記特許文献２には、電球に模様を設け、磨ガラス製の白色球状スクリーンカバーで当該電球を覆った照明装置が開示されている。
【０００５】
しかし、ガラス球表面に塗装膜を形成し、あるいは薄い着色フィルムを熱でガラス球表面に密着させることにより模様層を形成していたので、上記と同一の問題が生ずる。また、電球のフィラメントが点光源でないため、当該公報に示されているように電球とスクリーンカバーとの間隔を充分（１０ｍｍ以上）とると、影模様が識別できないほどぼやけてしまい、高級感がでないということを実験で確かめた。
【特許文献１】実開昭６３−３５０９６号公報
【特許文献２】実開平０５−４３４０６号公報
【考案の開示】
【考案が解決しようとする課題】
【０００６】
本考案の目的は、本考案者によるこのような問題点考察に基づき、高級感があり、模様の剥離、変色及び褪色の問題も生じない電球及びこれを用いた照明装置を提供することにある。
【課題を解決するための手段】
【０００７】
本考案の電球では、透明ガラス球の表面にレジストパターンの模様（文字、図形もしくは絵等又はこれらの組み合わせ）がエッチングにより転写されている。
【０００８】
本考案の照明装置（電球でオイルを加熱する装置を含む）では、上記電球と、該電球を覆う半透明カバーとを有し、該電球のガラス球表面と該半透明カバーとの距離の最小値が１〜８ｍｍであり、該最小距離付近の該ガラス球表面に少なくとも上記模様の一部が形成されている。この半透明カバーは、入射光を拡散透過させる磨ガラス、半透明アクリル、トレーシングペーパー又は和紙等で形成されている。
【考案の効果】
【０００９】
本考案の電球では、透明ガラス球の表面にレジストパターンの模様がエッチングにより転写されているので、電球自体については特に消灯時に高級感があり、模様の剥離、変色及び褪色の問題も生じない。このエッチングがサンドブラストによる磨り加工である場合には、目視して確認しながら加工することができる。
【００１０】
本考案の照明装置では、該電球のガラス球表面と該半透明カバーとの距離の最小値が１〜８ｍｍ、好ましくは１〜５ｍｍであり、該最小距離付近の該ガラス球表面に少なくとも上記模様の一部が形成されているので、電球を点灯させると、半透明カバーの該最小距離付近の領域に、該模様を投影したものが綺麗に現れ、清楚で穏やかな高級感が得られる。電球消灯時には半透明カバーに該模様が現れないので、ひっそりとした感じが得られる。
【００１１】
本考案の他の目的、構成及び効果は以下の説明から明らかになる。
【考案を実施するための最良の形態】
【００１２】
以下、図面を参照して本考案の実施例を説明する。
【実施例１】
【００１３】
図１は、本考案の一実施例の、電球にエッチング模様を施す工程の説明図である。
【００１４】
図１（Ｃ）に示すように、電球１０は透明ガラス球１１の表面にポジの模様１２がサンドブラストエッチングで形成されている。
【００１５】
図１（Ｃ）では簡単化のため、模様１２がその輪郭で表されているが、透明ガラス球１１の模様１２以外の部分は透明のままで、模様１１は磨り加工されて磨ガラス状になっている（この点は図２も同様）。また、図１（Ｃ）では簡単化のため、透過して見える内部のフィラメント等及び透過して見える、透明ガラス球１１の反対側面に形成された模様が図示省略されている（この点は図２も同様）。
【００１６】
模様１２は、以下のようにして形成される。
（１）模様１２に対応した白黒模様が印刷され又は描かれたトレーシングペーパー２１が、図１（Ａ）に示すように、露光装置のガラス基板２０上に搭載され、この上にレジストフィルム２２が搭載され、レジストフィルム２２がフレキシブル樹脂シート２３でカバーされ、ガラス基板２０と樹脂シート２３の間の空気が不図示の装置で吸引されて、レジストフィルム２２がトレーシングペーパー２１に密着される。この状態で、ガラス基板２０の下方から紫外線２４が照射されてレジストフィルム２２が露光される。
【００１７】
（２）レジストフィルム２２が現像液中に浸漬されて、トレーシングペーパー２１のパターンを転写したものが現像される。図１（Ｂ）は、現像されたレジストフィルム２２の拡大縦断面図であり、レジストフィルム２２は、ＰＥＴ等で形成されたベースフィルム２２１上に、オブラート状の支持フィルム２２２を介してマスキングフィルム２２３が被着されている。現像されたレジストフィルム２２は水で洗浄され、ドライヤーで乾燥された後、空気中で自然乾燥される。
【００１８】
（３）エタノールを染み込ませた布で透明ガラス球１１上の塵埃が拭き取られ、透明ガラス球１１上に接着剤が塗布される。
【００１９】
（４）レジストフィルム２２のマスキングフィルム２２３を透明ガラス球１１側にして、この接着層の上に、レジストフィルム２２が貼着される。ベースフィルム２２１が剥ぎ取られて、現像されたマスキングフィルム２２３が透明ガラス球１１上に残る。模様形成部以外の、透明ガラス球１１の露出部分には、マスキングテープが貼着される。
【００２０】
（５）透明ガラス球１１の、切除部２２４に対応した領域に、コンプレッサーにより圧縮された圧搾空気で砂（アルミナ研削剤）が吹き付けられて、磨り加工（サンドブラスト加工）される。コンプレッサーの圧力設定値は、実験の結果、０．０５ＭＰａ程度が好ましいことが分かった。この圧力は、鏡のガラスにエッチングする場合のコンプレッサー圧力設定値の１／３程度であり、サンドブラスト加工時間は鏡のガラスにエッチングする場合とほぼ同じであった。サンドブラスト加工時間は、切除部２２４の面積により異なる。
【００２１】
（６）透明ガラス球１１に貼着されているマスキングテープ及びマスキングフィルム２２３を剥離させることにより、例えば図１（Ｃ）に示すような、エッチング模様が形成された電球１０が得られる。
【００２２】
このようにエッチングで形成された模様は、印刷と異なり、剥離、変色及び褪色の問題が生ぜず、また、電球１０自体に対し、特に消灯時に清楚な高級感を与える。
【００２３】
図２は、この電球１０を用いた、オイル加熱器としても用いられる照明装置３０を示す、一部を切り欠いた正面図である。
【００２４】
このオイル加熱・照明装置３０では、ベース３１上に立設された中空ポール３２の上端にソケット３３が接続され、ソケット３３に電球１０の口金が螺着されている。ベース３１上にはポール３２と同心に支持リング３４が立設され、支持リング３４の外周面に形成された雄ねじに、半透明円筒カバー３５の下端部内周面に形成された雌ねじが螺合されている。
【００２５】
半透明円筒カバー３５は、電球１０からの光を拡散透過させる乳白色のアクリル樹脂で形成されている。半透明円筒カバー３５の内径と電球１０の最大外径との差ｄは、１〜８ｍｍ、好ましくは１〜５ｍｍ程度であり、このようにすることで、電球１０を点灯させると、該最大径付近の半透明円筒カバー３５の表面に、電球１０の模様１２を投影した影模様１２Ａが図３に示すように綺麗に現れ、清楚で穏やかな高級感が得られる。図３では簡単化のため、影模様１２Ａがその輪郭で表されている。電球消灯時には半透明円筒カバー３５にこの模様が現れないので、ひっそりとした感じが得られる。
【００２６】
半透明円筒カバー３５の上端開口は、オイル皿としても用いられる蓋３６で閉じられている。
【００２７】
蓋３６にエッセンシャルオイルを入れて電球１０を点灯させると、オイルが加熱されて香りの分子が蒸発し、一方では嗅覚を通じて脳へ刺激が伝わり、ホルモンや免疫系の分泌が促され、他方では鼻から肺へと流れ、血管を通して全身へ運ばれて、リラックス感等が得られる。このような作用は、半透明円筒カバー３５の表面に現れた清楚で穏やかな影模様１２Ａの心理的効果により高められる。
【００２８】
サンドブラストは１品加工が可能であり、需要者の注文に応じて模様１２を決定することができる。また、同一の半透明円筒カバー３５に対し異なる模様が形成された電球１０を用いることにより、照明装置３０のデザインを容易に多様化することができる。
【００２９】
なお、本考案には外にも種々の変形例が含まれる。
【００３０】
例えば、エッチングは、エッチングクリームを用いたケミカルエッチングであってもよい。また、透明ガラス球１１上に形成する模様はポジ模様に限定されず、ネガ模様であってもよい。照明装置は、オイル加熱装置３０に限定されず、スタンド、ペンダント、ブラケット型の照明装置やシャンデリア等の照明装置であってもよい。入射光を拡散透過させる半透明カバーは、電球のガラス球表面との距離の最小値が１〜８ｍｍであればよく、磨ガラス、トレーシングペーパー又は和紙等で形成されたもの、円錐台形、ラッパ形等であってもよい。模様は、着色されていてもよい。
【図面の簡単な説明】
【００３１】
【図１】本考案の一実施例の、電球にエッチング模様を施す工程の説明図である。
【図２】エッチング模様付電球を用いた、オイル加熱器としても用いられる照明装置を示す、一部を切り欠いた正面図である。
【図３】図２の照明装置の点灯状態を示す正面図である。
【符号の説明】
【００３２】
１０    電球
１１    透明ガラス球
１２    模様
１２Ａ    影模様
２０    ガラス基板
２１    トレーシングペーパー
２２    レジストフィルム
２３    樹脂シート
２２１    ベースフィルム
２２２    支持フィルム
２２３    マスキングフィルム
２２４    切除部
３０    オイル加熱・照明装置
３１    ベース
３２    ポール
３３    ソケット
３４    支持リング
３５    半透明円筒カバー
３６    蓋
【図１】
0003103714.tif 000003
【図２】
0003103714.tif 000004
【図３】
0003103714.tif 000005